(57)【要約】【課題】複数処理が要求された場合に、その処理の一部を周辺機器に実施させることで、応答性を改善できるテレビ放送受信装置を提供する。【解決手段】テレビ放送受信装置と当該テレビ放送受信装置に接続された複数の複数周辺機器より構成され、テレビ放送受信装置が当該テレビ放送受信装置に接続された複数の周辺機器を制御するシステムにおいて、本テレビ放送受信装置に対するユーザーからの操作要望を、ユーザーからの操作要望前後のテレビ放送受信装置の負荷量を算出し、テレビ放送受信装置より複数の周辺機器との分散処理を制御する分散処理制御部をテレビ放送受信装置に備えることで、テレビ放送受信装置での高負荷処理同時発生時の応答性を改善できる。【選択図】図１
2012033980.tif 000002
【特許請求の範囲】
【請求項１】
複数の周辺機器と接続されたテレビ放送受信装置であって、
ユーザーが所望の処理を入力する入力手段と、
前記入力手段に入力された所望の処理と前記テレビ放送受信装置の現在の処理の内容からテレビ放送受信装置の処理の負荷量を算出する算出手段と、
前記テレビ放送受信装置による適切な処理量の閾値を設定する設定手段と、
前記算出手段により算出された処理の負荷量と前記設定手段により設定された閾値とを比較する比較手段とを備え、
前記比較手段により所定の閾値を超えている場合には、前記テレビ放送受信装置は、現在処理中の内容から、前記入力手段に入力された所望の処理でなく、且つ、処理の負荷量が重く、且つ、周辺機器で処理可能な内容の処理を検索する検索手段と、
前記検索手段により検索された処理内容を前記複数周辺機器のどれかに負担させる出力手段より構成された分散処理制御部を備えたことを特徴とするテレビ放送受信装置。
【請求項２】
前記テレビ放送受信装置は、さらに、前記テレビ放送受信装置で必ず処理を行う所定の処理を予め指定する指定手段とを備え、
前記比較手段により所定の閾値を超えており、且つ、前記指定手段により指定された処理が、処理の負荷量が重く、且つ、周辺機器で処理可能な内容であっても、前記テレビ放送受信装置により処理を行うことを特徴とする請求項１記載のテレビ放送受信装置。
【請求項３】
前記テレビ放送受信装置は、さらに、前記入力手段に入力された所望の処理でない機能で、且つ、周辺機器で処理可能な内容で、且つ、処理負荷の重い処理を前記検索手段により検索し、前記検索手段で検索された処理内容を前記周辺機器に負担させる出力手段とを備えたことを特徴とする請求項２記載のテレビ放送受信装置。
【請求項４】
前記算出手段は、テレビ放送受信機装置で使用できるそれぞれ機能に対し、予め負荷量を設定しておき、前記入力手段に入力された所望の処理前後のテレビ受信装置の負荷量を算出することを特徴とする請求項１から３のいずれかに記載のテレビ放送受信装置。
【請求項５】
前記検索手段は、前記テレビ放送受信装置に接続された複数の周辺機器の処理内容を周辺機器ごとに前記テレビ放送受信装置に記録しておき、記録した周辺機器ごとの処理内容から周辺機器に負担させる機能を有する周辺機器を検索することを特徴とする請求項１から４のいずれかに記載のテレビ放送受信装置。
【請求項６】
前記テレビ放送受信装置に接続された複数の周辺機器と、前記テレビ受信機は、映像信号と、音声信号と、機器制御信号とで接続し、前記テレビ放送受信装置は、前記複数周辺機器のそれぞれに対して前記出力手段より機器制御信号を介し前記複数の周辺機器を制御し、さらに前記複数の周辺機器のそれぞれから、映像信号と音声信号を入力することを特徴とする請求項１から５のいずれかに記載のテレビ放送受信装置。
【請求項７】
前記入力手段としては、テレビ放送受信装置のリモコンを使用することを特徴とする請求項１から６のいずれかに記載のテレビ放送受信装置。
【発明の詳細な説明】
【技術分野】
【０００１】
本発明は、テレビ放送受信装置で実施する複数の処理の一部を、テレビ放送受信装置に接続された周辺機器に負担させることで、テレビ放送受信装置でユーザーが所望した処理を応答性良く処理できるテレビ放送受信装置に関するものである。
【背景技術】
【０００２】
テレビ放送受信装置では、デジタル放送受信処理、ネットワーク処理、高品位グラフィックス処理、３Ｄ映像処理など高負荷な処理が増える傾向にある。さらにテレビ放送受信装置では、上記の高負荷処理が複数同時に発生した場合には、テレビ放送受信装置の処理性能が不足し、応答性が悪くなるという課題がある。
【０００３】
上記の課題に対する従来技術としては、ホームネットワーク上でデジタル放送受信機やＤＶＤレコーダーなどのデジタル機器のもつ機能連携において、自己のもつ機能だけでは実行できない処理の命令を受けると機器ごとの機能リンクテーブルを再構成して実現する技術（特許文献１）や、ネットワークに接続された複数の機器における余剰資源を連動動作させて一つの処理を効率良く分散処理する技術（特許文献２）や、各機器状態やネットワーク環境の変化を考慮して分散処理を行う技術（特許文献３）が知られている。
【特許文献１】特開２００５−１０９３９号公報
【特許文献２】特開２００７−２７２２７８号公報
【特許文献３】特開２００６−９２４３２号公報
【発明の開示】
【発明が解決しようとする課題】
【０００４】
上記の従来の技術では、例えば、特許文献１では、自機器だけでは処理ができない高負荷時間帯を過去の操作履歴の時間帯から予測し、高負荷時間帯と予測された時間帯に、自機器とホームネットワークで接続された機器に処理を分散させるものであるが、過去の操作履歴の時間帯より負荷算出を行っているので、実際の負荷との差が発生する可能性があり、その際自機器の応答性が改善されないという課題がある。
【課題を解決するための手段】
【０００５】
テレビ放送受信装置で実施できる機能のそれぞれに関して、予め負荷量を決めておき、テレビ放送受信装置を使用するユーザーが、所望の動作に対する操作要求する直前と直後のテレビ放送受信装置の負荷量を、上記の予め決めておいたテレビ放送受信装置で使用できるそれぞれの機能に対する負荷量を用いて計算を行い、操作要求後の負荷量計算値がテレビ放送受信装置に設定した負荷閾値を超えた場合に、テレビ放送受信装置に接続された周辺機器で処理可能で、且つ操作要求直前で最大負荷の処理を周辺機器に行わせることで、テレビ放送受信装置の応答性を改善するテレビ放送受信装置に関するものである。
【０００６】
また、本発明のテレビ放送受信装置は、さらに、テレビ放送受信装置で必ず処理を行う所定の処理を予め指定する指定手段とを備え、比較手段により所定の閾値を超えており、且つ、指定手段により指定された処理が、処理の負荷量が重く、且つ、周辺機器で処理可能な内容であっても、テレビ放送受信装置により処理を行うテレビ放送受信装置に関するものである。
【発明の効果】
【０００７】
本発明に係るテレビ放送受信装置によれば、テレビ放送受信装置で実施できる機能それぞれに対して予め負荷量を決めておき、ユーザーの所望処理の実施前後で、前記の予め決めておいた負荷量を用いてテレビ放送受信装置の負荷量を計算するので、負荷量の算出の精度が高く、テレビ放送受信機とその周辺機器間で処理の分散が精度よく実施できるので、高負荷時にテレビ放送受信装置の応答性を改善することができる。
【０００８】
また、テレビ放送受信装置で実施できる機能のうち、テレビ放送受信装置に接続された周辺機器で実施させたくない機能（テレビ放送受信装置で特徴のある機能、例えば画質処理など）に対しては、分散処理対象外とすることで、ユーザーに対してテレビ放送受信装置の特徴機能を分散処理時でもテレビ放送受信装置で提供することができる。
【発明を実施するための最良の形態】
【０００９】
以下、本発明の一実施の形態に係るテレビ放送受信装置ついて説明する。
【００１０】
図１は、本発明の一実施の形態に係るテレビ放送受信装置の動作概要を説明するための図である。図１において、１００はテレビ放送を受信するためのアンテナ、１０１はネットワークアクセスを行うためのＬＡＮ、１０３は主記憶メモリ、１０４はプログラムや周辺機器情報やユーザー情報を格納する不揮発メモリ、１０５はテレビ放送受信装置を操作するリモコン、１０６はリモコン信号を受信するリモコンＩ／Ｆ、１０７はテレビ放送受信回路、１０８は映像や音声信号をデコード／エンコードするデコード／エンコード処理部、１０９はテレビのグラフィックスを生成するグラフィックス生成部、１１０は映像や音声を提示するための処理を行う提示処理部、１１１は提示部、１１２はメモリカードなどのメディア媒体、１１３はハードディスク、１１４上記メディア媒体とのインターフェースを行うメディアＩ／Ｆ、１１５は上記ハードディスクとのインターフェースを行うハードディスクＩ／Ｆ、１１７はテレビ放送に接続された第１の周辺機器１、１１８はテレビ放送に接続された第２の周辺機器２、１１９はテレビ放送に接続された第ｍ番目の周辺機器ｍ（ｍは整数）、１２０は周辺機器１とのインターフェースを行う機器Ｉ／Ｆ１、１２１は周辺機器２とのインターフェースを行う機器Ｉ／Ｆ２、１２２は周辺機器ｍとのインターフェースを行う機器Ｉ／Ｆｍ、１２３は、機器Ｉ／Ｆ１から機器Ｉ／Ｆｍからの映像と音声出力信号をセレクトするスイッチ、１２４は前記主記憶メモリ１０３と不揮発メモリ１０４を制御するメモリ制御、１２５はリモコンＩ／Ｆ１０７とテレビ受信回路１１４とメディアＩ／Ｆ１１４とハードディスクＩ／Ｆ１１５とネットワークＩ／Ｆとデコードエンコード処理部１０８とグラフィックス生成部１０９と提示処理部１１０を制御する内部制御部、１２６は機器Ｉ／Ｆ１と機器Ｉ／Ｆ２と機器Ｉ／Ｆｍを制御する周辺機器制御部、１２７は周辺機器１〜周辺機器ｍへの分散処理を制御する分散処理部、１２８はテレビ放送受信装置のＣＰＵである。
【００１１】
ここで、テレビ放送受信装置では、アンテナ１００や、ＬＡＮ１０１や、メディア媒体１１２や、ハードディスク１１３からの映像や音声を入力し、さらに周辺機器１〜周辺機器ｍからの映像や音声を入力し、ユーザーの操作に従い提示部１１１に出力する。
【００１２】
また、テレビ放送受信装置は、周辺機器１〜周辺機器ｍとテレビ放送受信装置を映像信号、音声信号、制御信号で接続し、テレビ放送受信装置から周辺機器制御部１２６を介し周辺機器制御を行う構成とし、これにより周辺機器１〜周辺機器ｍの機器使用情報は、テレビ放送受信装置で認識が可能となる。
【００１３】
なお、テレビ放送受信装置と周辺機器との接続は無線／優先のどちらでもよく、例えばＨＤＭＩ、ＩＥＥＥ１３９４、ＵＳＢ、ＬＡＮ、などで接続する。
【００１４】
また、テレビ放送受信装置では、周辺機器への分散処理を、周辺機器とテレビ放送受信機間の制御信号で行い、処理結果を周辺機器より映像信号、音声信号としてテレビ放送受信装置に入力するので、周辺機器に分散させた処理に関しては、テレビ放送受信装置では処理負荷が発生しない。
【００１５】
以下、図２を用いて本発明の動作フローの例（周辺機器３個の場合）について説明する。
【００１６】
まず、最初に、テレビ放送受信装置に接続されている周辺機器の情報をテレビ放送受信装置に登録する（Ｓ２００）。図３は、周辺機器１〜周辺機器３の情報を、テレビ放送受信装置に登録する方法の説明図である。図３では、テレビ放送受信装置の提示部１１１に各周辺機器の機能を登録する画面を表示し、周辺機器ごとに情報を登録する。  ここでそれぞれの周辺機器の情報（製造メーカー、周辺機器品番、その周辺機器の機能や特徴など）はテレビ放送受信装置の不揮発メモリに予め格納しておく（テレビ放送受信装置の製造時に不揮発メモリに書き込んでおくなど）。ユーザーはリモコン操作で、上記の各周辺機器の機能を登録する画面でユーザーがテレビ放送受信装置に接続している周辺機器を登録する。
【００１７】
図３では、ユーザーが周辺機器１にデジタル放送受信機能（ＤＴＶ）、ネットワーク機能（ＮＷ）、Ｈ．２６４機能対応などの機能を有するＰ社のＳＴＢを接続し、周辺機器２にデジタル放送受信機能（ＤＴＶ）、ネットワーク機能（ＮＷ）などの機能を有するＰ社のＤＶＤレコーダーを接続し、周辺機器３にゲーム機能（Ｇａｍｅ）、ネットワーク機能（ＮＷ）などの機能を有するＰ社のゲーム機器を接続した画面を示しており、リモコンの選択キーの上下で、周辺機器１〜３を選択し、選択キーの左右で、当該周辺機器の機能を選択する。なおそれぞれの機能は上記不揮発メモリより周辺機器情報を抽出することで行う。
【００１８】
なお上記不揮発メモリに格納した周辺機器情報は、ネットワークを介し更新できる構成とすることで、テレビ放送受信装置が発売された後に発売された周辺機器にも対応することが可能となる。具体的には、テレビ放送受信装置製造元のホームページにアクセスし、そのホームページより、最新の周辺機器情報をダウンロードするなどで実現が可能となる。なお、上述した方法は、本発明の一例であって、本発明はこれに限定されるものではない。例えば、周辺機器をテレビ放送受信装置に接続した際に、自動的にテレビ放送受信装置が周辺機器の機器情報を取得することにより、自動的に周辺機器の番号を振り分けることも可能である。
【００１９】
次にテレビ放送受信装置では、ユーザーがテレビ放送受信装置に対して操作要求があるかを待ち（Ｓ２０１）、操作要求がなければデジタル放送受信装置の処理内容と周辺機器１〜周辺機器３の使用状況を確認する。本発明では、前記したように周辺機器１〜周辺機器ｍの機器使用情報は、テレビ放送受信装置で認識が可能なので、この確認は特に周辺機器１〜周辺機器ｍにアクセスする必要はない。
【００２０】
ここでユーザーから操作要求が来た場合に、周辺機器１〜周辺機器ｍを使用するか、しないの判断を行う（Ｓ２０２）。図４は、図３の周辺機器使用判断手段（Ｓ２０２）の説明を行う図である。図４のＳ４０１は、周辺機器１〜周辺機器ｍで分散処理を行わせるかどうかを判断する分散判断手段であり、下記の式で判断を行う。
【００２１】
７０＋α＋１１０＋β＋２０＋γ  ≧  分散判断値
または  （式１）
７０＋α＋１１０＋β＋２０＋γ  ＜  分散判断値
以下、式１に関して、図５を用いて説明する。図５は、テレビ放送受信装置の負荷量を計算するためのテーブルであり、ユーザーからの操作要求前にテレビ放送受信装置で行われている複数の処理それぞれに対して負荷量を算出する。
【００２２】
例えば、処理１はデジタル放送を受信していて、映像はＭＰＥＧ２の１０８０Ｉフォーマットで映像提示は１画面の場合は、１０＋２０＋４０＝７０となる。処理１の負荷の合計として、図５には７０＋αと記載しているが、αは音声処理など本明細書では割愛している処理の負荷量をしめしている。ここで自機器負荷は、テレビ放送受信装置開発設計時に、当該テレビ放送受信の処理能力（ＣＰＵ処理能力や主記憶メモリへのアクセス能力など）より計算された値であり、テレビ放送受信装置ごとに、テレビ放送受信装置の全処理能力に対する個々の負荷量を計算、もしくは実測することで容易に決定可能である。処理２も同様にして負荷を算出し、１１０＋βとなる。βはα同様に本明細書では割愛している処理の負荷量をしめしている。
さらに本発明では、ユーザーからの操作要求後のテレビ放送受信装置で行われている負荷量を、ユーザーからの操作要求前の場合と同様にして算出しておく。
【００２３】
図５では、ユーザーからの操作要求後のテレビ放送受信装置で行われている負荷量は２０＋γとなっている。γは上記α、β同様に本明細書では割愛している処理の負荷量をしめしている。
【００２４】
式１の分散判断値は、テレビ放送受装置で分散処理をさせるかどうかの判断を行うパラメータで、図５の自機器負荷パラメータと連携して設定する。なおこの分散判断値はテレビ放送受信装置の出荷前に機器固有値として設定しても、パラメータとしてＣＰＵより制御できるようにしてもよい。
【００２５】
すなわち本発明では、７０＋α＋１１０＋β＋２０＋γ＜分散判断値の場合には分散処理を行わず、一方、７０＋α＋１１０＋β＋２０＋γ≧分散判断値の場合には分散処理を行う。
【００２６】
図４のＳ４００で分散処理を行う場合には、Ｓ４０１で要求前のテレビ放送受信機での処理が、周辺機器で実現可能かを判断する。ここで、周辺機器で実現可能な場合にはＳ４０３でユーザーからの要求前の処理で、かつ周辺機能で実現できるもので、かつ負荷量の重たいもの（図５の処理１、処理２、…、のそれぞれの負荷量で大きな値のもの）を選択し周辺機器で実施させ、その他の処理はテレビ放送受信装置で処理を実施する。例えば、この場合には、処理２が周辺機器で実現可能か否かを判断し、処理２を周辺機器が実現できない場合には、処理１が周辺機器で実現可能か否かを判断する。
【００２７】
図４のＳ４０１で要求前のテレビ放送受信機での全ての処理が、周辺機器で実現可能でない場合には、ユーザーからの操作要求が周辺機器で実現できるかを判断（Ｓ４０２）し、周辺機器で実現可能な場合には、要求処理を周辺機器で実施し、その他はテレビ放送受信装置で処理を実施し、図２のＳ２０３の処理に移行する。
図４のＳ４０２でユーザーからの操作要求が周辺機器で実現できない場合には、図２のＳ２０６の処理に移行する。図２のＳ２０３は、使用する周辺機器をサーチする手段である。
【００２８】
図６を用いて、使用する周辺機器をサーチする手段（Ｓ２０３）に関して説明する。まず、テレビ放送受信装置に接続されるサーチ対象の周辺機器の機能の確認を行う（Ｓ６０１）。この確認もサーチ対象の周辺機器にアクセスすることなくテレビ放送受信装置内で行える。ここでサーチ対象の周辺機器が要求機能を実現できない場合は次の周辺機器のサーチに移行し、サーチ対象の周辺機器が要求機能を実現できる場合には、サーチ対象周辺機器の予約状況を確認する（Ｓ６０２，Ｓ６０３）。サーチ対象の周辺機器の予約確認（Ｓ６０３）で予約がない場合には、そのサーチ対象周辺機器で分散処理を行い、予約がある場合には次の周辺機器のサーチに移行する。
【００２９】
図２の使用する周辺機器をサーチする手段（Ｓ２０３）で周辺機器がサーチできた場合にはその周辺機器で分散処理を行い、使用する周辺機器をサーチする手段（Ｓ２０３）で周辺機器がサーチできなかった場合には、次のサーチ対象の周辺機器に移行する（Ｓ２０５）。
【００３０】
図２のサーチ対象の周辺機器の存在確認手段（Ｓ２０６）で、サーチ対象の周辺機器がない場合、または周辺機器使用判断手段（Ｓ２０２）でＮｏとなった場合は、テレビ放送受信装置で処理を実施し、次のユーザーの操作を待つ。
【００３１】
本発明では、ユーザーがリモコンで所望の処理を入力する前のテレビ放送受信装置での負荷を算出可能で、またユーザーがリモコンで所望の処理を入力する前のテレビ放送受信装置で最も高負荷な機能は認識ができるため、ユーザーがリモコンで所望の処理を入力した後は、ユーザーが所望した処理の負荷を、ユーザーがリモコンで所望の処理を入力する前のテレビ放送受信装置での負荷に加え、分散判断値と比較すればよいので、よりシームレスな周辺機器への分散制御が可能となる。
【００３２】
更に本発明では、前記テレビ放送受信装置で必ず処理を行う所定の処理を予め指定する指定手段を備えることで、上記周辺機器に分散処理させる処理の対象外とする。これによりテレビ放送受信装置特有の処理（テレビ放送受信装置では画質処理など）は、自機器で行うので、ユーザーにとってより利便性をよくすることができる。
【００３３】
なお、前記テレビ放送受信装置で必ず処理を行う所定の処理を予め指定する指定手段の設定は、テレビ放送受信装置の出荷時に設定する場合と、ユーザーの  嗜好により設定できる様に、テレビ放送受信機のＣＰＵで設定できるようにする。
【００３４】
以下、図７を用いて、特定の処理については、テレビ放送受信装置で必ず処理する場合に関して具体的に説明を行う。
【００３５】
図７のＳ７００で分散処理を行うと判断した場合には、Ｓ７０１で要求前のテレビ放送受信機での処理が、周辺機器で実現可能かを判断する。ここで周辺機器で実現可能な場合にはＳ７０３でユーザーからの要求前の処理で、かつ周辺機能で実現できるもので、かつ負荷量の重たいもの（図５の処理１、処理２、…、のそれぞれの負荷量で大きな値のもの）を選択する。
【００３６】
ここで、Ｓ７０３で選択された処理が、テレビ放送受信装置で実施すべき機能と予め設定されていない場合には、Ｓ７０６に移行し周辺機器で実施し、その他の処理はテレビ放送受信装置で継続処理を実施する。
【００３７】
またＳ７０３で選択された処理が、テレビ放送受信装置で実施すべき機能と予め設定されている場合には、当該処理を選択対象から外し、再度Ｓ７０３でのユーザーからの要求前の処理で、かつ周辺機能で実現できるもので、かつ次に負荷量の重たいものを選択し、Ｓ７０３で選択された処理が、テレビ放送受信装置で実施すべき機能と予め設定されていない場合には、Ｓ７０６に移行し周辺機器で実施し、その他はテレビ放送受信装置で継続処理を実施する。
【００３８】
また本発明では、ユーザーのリモコンでの所望処理で周辺機器への処理分散を行う様に記載したが、放送やインターネットから、例えば地震速報等の強制的かつ緊急に告知したものなどの情報をテレビ放送受信装置で認識した時点で周辺機器との本発明の分散処理を行うことで、リモコンの操作が無くとも、ユーザーに速やかに地震速報等の強制的かつ緊急に告知したものなどの情報を提示することが可能である。
【００３９】
更に本発明のテレビ放送受信装置にキーボード機能を付加することで、具体的には、テレビ放送受信装置の画面上にキーボードを表示し、リモコンの選択キー上下左右キーでテレビ放送受信装置に表示したキーボード上のキーを選択することで、パソコンとテレビ放送受信装置をＵＳＢ（無線、優先のどちらでもよい）で接続し、パソコンの制御を行い、パソコンからの映像信号、音声信号をテレビ放送受信装置で提示することで、パソコンに対しても処理分散が実現可能である。例えば、インターネットへの動画アクセスはパソコンで処理させた方が、ユーザーにとって応答性がよくなると考えられる。  この場合には、本発明でのテレビ放送受信装置で必ず処理を行う所定の処理を予め指定する指定手段を拡張し、周辺機器で分散処理させる処理を予めテレビ放送受信機器に指定する指定手段を備えることで実現できる。具体的には、本発明の負荷量計算から前記周辺機器に分散処理させる処理を外すことで容易に本発明のテレビ放送受信装置で実現できる。
【００４０】
上記の周辺機器で分散処理させる処理を予めテレビ放送受信機器に指定するのはパソコンだけでなく、ＤＶＤレコーダー、ＳＴＢなどに対しても行うことで、テレビ放送受信装置で実現できる機能であっても、周辺機器の方が性能がよい場合は周辺機器に処理を分散させることで、テレビ放送受信装置の負荷を減らすことができ、その分テレビ放送受信装置で実施する機能を応答性よくユーザーに提示することが可能となる。
【産業上の利用可能性】
【００４１】
本発明は、テレビ放送受信装置と当該テレビ放送受信装置に接続された複数の周辺機器を連携させ、リモコンなどでユーザーが入力した所望処理を応答性よく提示するＡＶ機器ネットワークシステム等に利用することができる。
【図面の簡単な説明】
【００４２】
【図１】本発明の一実施の形態に係るテレビ放送受信装置のブロック図
【図２】本発明の一実施の形態に係るテレビ放送受信装置フローチャート
【図３】本発明の周辺機器をテレビ放送受信装置に登録する一実施例を示す図
【図４】本発明の周辺機器使用判断フローチャート
【図５】本発明の周辺機器への機器分散を示す図
【図６】本発明の使用する周辺機器のサーチフローチャート
【図７】本発明の使用する周辺機器使用判断フローチャート
【符号の説明】
【００４３】
１００    アンテナ
１０１    ＬＡＮ
１０３    主記憶メモリ
１０４    不揮発メモリ
１０５    リモコン
１０６    リモコンＩ／Ｆ
１０７    テレビ放送受信回路
１０８    デコード／エンコード処理部
１０９    グラフィックス生成部
１１０    提示処理部
１１１    提示部
１１２    メディア媒体
１１３    ハードディスク
１１４    メディアＩ／Ｆ
１１５    ハードディスクＩ／Ｆ
１１７    第１の周辺機器１
１１８    第２の周辺機器２
１１９    第ｍ番目の周辺機器ｍ（ｍは整数）
１２０    機器Ｉ／Ｆ１
１２１    機器Ｉ／Ｆ２
１２２    機器Ｉ／Ｆｍ
１２３    スイッチ
１２４    メモリ制御
１２５    内部制御部
１２６    周辺機器制御部
１２７    分散処理部
１２８    ＣＰＵ
【図１】
2012033980.tif 000003
【図２】
2012033980.tif 000004
【図３】
2012033980.tif 000005
【図４】
2012033980.tif 000006
【図５】
2012033980.tif 000007
【図６】
2012033980.tif 000008
【図７】
2012033980.tif 000009